(57)【要約】【課題】床に面外方向の力が作用した場合でもこの力によってＡＬＣパネルを傷めることなく長期間にわたって安定した引き抜き強度を保持する。【解決手段】ＡＬＣパネル１３からなる床スラブに断熱材１２を敷設し、更に、床下地材１１を重ねてねじＡによって固定する。ねじＡは床下地材１１、断熱材１２を貫通してＡＬＣパネル１３に締結されたとき、ねじＡは床下地材１１に対し頭部１のみが接触する。前記ねじＡは、頭部１と、胴部２と、ねじ山部３が連続して構成されたタッピングねじであり、頭部１からねじ部３の起点３ａまでの寸法が床下地材１１の厚さよりも大きく、且つねじ山部３の谷３ｃの径は胴部２の径よりも大きく、頭部１の径は山３ｄの径よりも大きい。【選択図】    図１
2008095320.tif 000002
【特許請求の範囲】
【請求項１】
軽量気泡コンクリートパネルからなる床スラブに断熱材を敷設し、該断熱材の上面に床下地材を重ねてねじによって固定する床断熱材の固定構造であって、ねじは床下地材及び断熱材を貫通して軽量気泡コンクリートパネルに締結されており、且つねじが軽量気泡コンクリートパネルに締結されたとき、該ねじは床下地材に対し頭部のみが接触していることを特徴とする床断熱材の固定構造。
【請求項２】
請求項１に記載した床断熱材の固定構造に使用するねじであって、頭部と、頭部に連続した胴部と、胴部と連続したねじ山部とからなるタッピングねじであり、頭部から胴部を経てねじ部の起点までの寸法が床下地材の厚さよりも大きく、且つねじ山部の谷径は胴部の径よりも大きく、更に、頭部の径はねじ山部の山径よりも大きく形成されていることを特徴とするねじ。
【発明の詳細な説明】
【技術分野】
【０００１】
本発明は、軽量気泡コンクリートパネルからなる床スラブに対し断熱材を安定して固定することができる固定構造と、この固定構造を好ましく実現することができるねじとに関するものである。
【背景技術】
【０００２】
住宅を含む鉄骨造の建物では、梁に軽量気泡コンクリートパネル（以下、「ＡＬＣパネル」という）を敷き込んで床スラブを構成し、この床スラブの上面に断熱材を敷設した後、敷設した断熱材の上面に更に床下地材を敷き込んで断熱性を持った床を構成するのが一般的である。床スラブの上面に敷き込んだ断熱材及び床下地材を固定するには幾つかの手段があるが、その中で、ＡＬＣ専用に開発されたタッピングねじを利用して、床下地材の表面から床スラブを構成するＡＬＣパネルに締結する固定構造を採用することが多い。
【０００３】
ＡＬＣ専用のタッピングねじは、頭部と、該頭部に連続し且つ所定の長さを持ったねじ山部とによって構成されている。このタッピングねじを専用工具で床下地材の上面からねじ込むことによって、ねじ山が床下地材、断熱材及びＡＬＣパネルに食い込んでこれらを互いに一体化している。
【０００４】
一方、特許文献１には、床構造ではないものの、壁パネルの表面板を枠材に固定する際に、ねじ部と胴部とを有する固着具を利用する技術が記載されている。この技術は、壁パネルを構成する際に、木質系の表面板をビスによって鋼製の枠材に固着した場合、表面板がビスの周辺部分で荒れて緩みが生じ、この結果、剛性を確保し得なくなるという問題を解決するものである。
【０００５】
この技術では、頭部からねじ部までの長さを表面板の厚さと等しい寸法とし、且つ胴部の外径をねじ部の外径よりも大きくすることによって胴部とねじ部との境界に段部を形成した固着具を用いることで、胴部が緩みのない状態で表面板を貫通して該表面板を枠材に固定することができる。
【０００６】
【特許文献１】特開平１０−１０２６３４号公報
【発明の開示】
【発明が解決しようとする課題】
【０００７】
上記したように、頭部から連続したねじ部を有するタッピングねじを用いて床下地材と断熱材をＡＬＣパネルに固定した床断熱構造では、タッピングねじのねじ山が床下地材、断熱材に食い込んでいる。このため、床下地材として合板やパーティクルボード等を使用した場合、床を人が歩行したり荷物を移動させる等によって床下地材に面外方向の力が作用すると、この力はねじ山を介してタッピングねじの軸方向に作用することになる。そして、このような力が長期間にわたって繰り返し作用することによって、ＡＬＣパネルに於けるタッピングねじの食い込み部分に傷みが生じ、引き抜き耐力が低下する。
【０００８】
例えば、床下地材の上面に、裏面にスポンジのような弾性体を貼り付けた床仕上げ材を敷き込んだ場合には、面外方向に作用する力は弾性体に吸収されて緩和し得るものの、タッピングねじに対して作用する力を全く排除することは不可能であり、結局、長い期間にはタッピングねじの引き抜き耐力が低下することとなる。
【０００９】
特許文献１に記載された壁パネルは、面内剪断変形耐力を負担する建物の構造部材としての機能を有するものであり、表面板に面外方向の力が作用したときの固着具の作用については記載されていない。また固着具は、胴部が表面板に対し緩みがない状態で貫通している。しかし、固着具は胴部の外径がねじ部の外径寄りも大きく形成されているため、タッピングねじとして構成することができず、表面板に胴部の外径と略等しいか僅かに小さい穴を形成してこの穴に固着具を挿通して枠材に締結することになる。従って、作業が繁雑になるという問題が生じる虞がある。
【００１０】
また表面材に面外方向の力が作用したとき、この力は表面板と固着具の胴部との接触摩擦により固着具に対し軸方向の力として作用することとなり、この軸方向に作用する圧縮力を胴部とねじ部との境界に形成した段部を介して枠材に伝えている。
【００１１】
本発明の目的は、床に面外方向の力が作用した場合でもこの力によってＡＬＣパネルを傷めることなく長期間にわたって安定した引き抜き強度を保持し得る床断熱材の固定構造と、この床断熱材の固定構造を実現するタッピングねじとしての機能を保持したねじと、を提供することにある。
【課題を解決するための手段】
【００１２】
上記課題を解決するために本発明に係る床断熱材の固定構造は、ＡＬＣパネルからなる床スラブに断熱材を敷設し、該断熱材の上面に床下地材を重ねてねじによって固定する床断熱材の固定構造であって、ねじは床下地材及び断熱材を貫通してＡＬＣパネルに締結されており、且つねじがＡＬＣパネルに締結されたとき、該ねじは床下地材に対し頭部のみが接触しているように構成したものである。
【００１３】
また本発明に係るねじは、上記床断熱材の固定構造に使用するねじであって、頭部と、頭部に連続した胴部と、胴部と連続したねじ山部とからなるタッピングねじであり、頭部から胴部を経てねじ部の起点までの寸法が床下地材の厚さよりも大きく、且つねじ山部の谷径は胴部の径よりも大きく、更に、頭部の径はねじ山部の山径よりも大きく形成されているものである。
【発明の効果】
【００１４】
本発明に係る床断熱材の固定構造では、ねじがＡＬＣパネルに締結されたとき、該ねじは頭部のみが床下地材に接触しているため、この接触部位以外に接触摩擦が生じることがない。このため、床を歩行する人の重量や床に設置した家具等の重量に応じた面外方向の力が床下地材に作用しても、ねじには軸方向の力が作用することがない。従って、ＡＬＣパネルに傷みが生じることがなく、長期間にわたって安定した引き抜き強度を保持することができる。
【００１５】
上記の如く、ねじは頭部以外の部位で床下地材と接触しない。即ち、床下地材にねじ山が食い込むことがなく、且つ胴部が接触することもない。このため、床下地材に面外方向の力が作用したとき、この力はねじ山を介してねじに伝えられることがなく、且つ接触摩擦によって伝えられることもない。従って、ＡＬＣパネルに傷みが生じることがない。
【００１６】
また本発明に係るねじでは、頭部と胴部とねじ山部とが連続したタッピングねじとして構成されており、ねじ山部の谷径が胴部の径よりも大きく且つ頭部からねじ山部の起点までの寸法が床下地材の厚さよりも大きく形成されている。このため、床下地材の表面側からねじ込むことによって、床下地材、断熱材を貫通して床スラブを構成するＡＬＣパネルに締結することができる。
【００１７】
そして、ねじ山部をＡＬＣパネルに締結したとき、ねじの頭部が床下地材と接触するものの、胴部がねじ山部の谷径よりも小さい径で形成されているため、該胴部が床下地材に接触することがない。従って、床下地材に面外方向の力が作用したとき、この力はねじの胴部に伝えられることがなく、ねじに軸方向の力が作用することがない。このため、ＡＬＣパネルに傷みが生じることがなく、長期間にわたって安定した引き抜き強度を保持することができる。
【００１８】
また、上記の如くねじの胴部は床下地材、断熱材に接触することがないため接触摩擦に起因する抵抗が小さくなり、ねじをねじ込む際には小さい力で容易にねじ込むことができる。
【発明を実施するための最良の形態】
【００１９】
以下本発明に係る床断熱材の固定構造と、この固定構造を実施する際に有利なねじの最も好ましい形態について説明する。本発明に係る床断熱材の構造は、ＡＬＣパネルからなる床スラブの上面に断熱材と床下地材を敷き込み、敷き込んだ床下地材の上面からねじで固定したとき、該ねじが頭部のみを床下地材と接触させることによって、即ち、ねじ山が床下地材に食い込むことがなく且つ胴部が床下地材と摩擦接触することもないことによって、床下地材に面外方向の力が作用しても、ねじ山とＡＬＣパネルとの接触部位に大きな押圧力を作用させることく、従って、ＡＬＣパネルのねじの締結部位に局部的な傷みを生じることなく、安定した引き抜き強度を保持し得るようにしたものである。
【００２０】
また本発明に係るねじは、頭部と胴部とねじ山部とからなるタッピングねじとして構成されたものでありながら、頭部からねじ山部の起点までの寸法が床下地材の厚さよりも大きく、ねじ山部の谷径が胴部の径よりも大きく形成されているため、床下地材の上面側から床スラブに向けてねじ込み、ねじ山部をＡＬＣパネルに締結したとき、胴部は床下地材に対し接触することがない。このため、床下地材に面外方向の力が作用したとき、この力がねじに伝わることがなく、従って、ＡＬＣパネルのねじの締結部位に局部的な傷みを生じることなく、安定した引き抜き強度を保持することが可能である。
【実施例１】
【００２１】
本実施例に係る床断熱材の固定構造とねじについて図により説明する。図１は床断熱材の固定構造の構成を説明する図である。図２はねじの構成を説明する図である。
【００２２】
本実施例に課且つ断熱材の固定構造は、図１に示すように、床下地材１１、断熱材１２を貫通したねじＡが床スラブを構成するＡＬＣパネル１３に締結されることによって、ねじＡの推進力が頭部１を介して床下地材１１に伝えられて固定されている。
【００２３】
床下地材１１の材質は特に限定するものではなく、一般的に床下地材として利用されている合板やパーティクルボード等のボード類を利用することが可能である。従って、床下地材１１の厚さも限定するものではない。また、床下地材１１の上面には図示しない床仕上げ材が貼着等の手段で施工されるが、この仕上げ材として如何なる材料を利用するかは限定するものではない。
【００２４】
断熱材１２は床スラブを構成するＡＬＣパネル１３の上面に全面にわたって敷き込まれている。この断熱材１２の材質は特に限定するものではなく、一般的に床断熱材として利用されている断熱材を利用することが可能である。従って、断熱材の厚さや硬度等の仕様も限定するものではない。
【００２５】
ＡＬＣパネルとしては一般的に床用パネルとして構成されたＡＬＣパネルを用いており、厚さを含む寸法等を特に限定するものではない。
【００２６】
床スラブは図示しない梁に多数のＡＬＣパネル１３の端部を載置して支持することで構成されている。この床スラブはＡＬＣパネル１３の上面をそのまま利用する場合や、この上面にセルフレベリング材を施工して構成する場合があるが、何れの構成であっても良いことは当然である。
【００２７】
ねじＡは図２に示すように構成されている。即ち、ねじＡは、頭部１と、頭部１に連続して形成された胴部２と、胴部２に連続して形成されたねじ山部３と、を有するＡＬＣ専用のタッピングねじとして構成されている。
【００２８】
本実施例に於いて、頭部１は皿状に形成されており、後述する床下地材１１、断熱材１２を介してＡＬＣパネル１３に締結したとき、床下地材１１の表面側に埋没してテーパ面１ａが床下地材１１と接触するように構成されている。頭部１は床下地材１１と接触するテーパ面１ａを有することが必要であるが、必ずしも皿状である必要はなく、なべ状に形成されていても良い。また頭部１の表面側にはプラス穴又はマイナス穴或いは六角穴（図示せず）が形成されており、これらの穴に適用するドライバを装着した工具を利用することで、容易に締結し得るように構成されている。
【００２９】
胴部２は頭部１のテーパ面１ａからねじ山部３の起点３ａまでの間に形成されており、長さは頭部１の表面からねじ山部３の起点３ａまでの長さが、床下地材１１の厚さよりも大きい寸法を有している。胴部２の長さは前記した寸法よりも大きければ良く、ねじ山部３の長さがＡＬＣパネル１３に締結するのに充分な長さを有していれば問題はない。
【００３０】
ねじ山部３は先端部３ｂが鋭い錐状に形成されており、該先端部３ｂから所定長さのテーパ状部を経てねじが形成されている。ねじ山部３に於ける谷３ｃの径（谷径）は胴部２の外径よりも大きい寸法を有しており、また山３ｄの径（山径）は頭部１の外径よりも小さい寸法を有している。ねじ山部３に於ける山３ｄのリードは限定するものではなく、ＡＬＣ専用のタッピングねじとして必要な保持力を発揮し得るリードを有している。またねじ山部３の長さは、必要な数の山３ｄがＡＬＣに食い込み得る寸法を有している。
【００３１】
上記の如く構成されたねじＡでは、例えば電動工具に把持したドライバに頭部１を装着し、予めＡＬＣパネル１３の上面に敷き込まれている断熱材１２、床下地材１１の上面から螺合することで、ねじ山部３の先端部３ｂから錐として切り込むと同時に山３ｄが食い込んで推進してゆき、頭部１のテーパ部１ａが床下地材１１に埋没することで、床下地材１１、断熱材１２をＡＬＣパネル１３に固定することが可能である。
【００３２】
上記の如くしてねじＡをＡＬＣパネル１３に締結したとき、床下地材１１はねじＡのねじ山部３を構成する谷３ｃによって、該谷３ｃの径に対応した穴１１ａが形成される。この穴１１ａにはねじＡの胴部２が嵌合することとなり、該胴部２は床下地材１１と接触することがない。即ち、ねじＡは頭部１のテーパ部１ａのみが床下地材１１と接触することとなる。
【００３３】
尚、ねじＡがタッピングねじとして構成されているため、穴１１ａはねじ山部３の谷３ｃの径に規制されるものの、谷３ｃの径よりは多少小さくなり、正確な寸法に形成されるものではない。このため、図１では、穴１１ａを点線で示している。
【００３４】
上記の如き断熱材の固定構造では、床下地材１１に面外方向の力が作用したとき、床下地材１１がねじＡの胴部２と摩擦接触していないため、床下地材１１からねじＡに伝わることはなく、直接断熱材１２に伝えられる。この力は断熱材１２自身が有する弾性によって吸収され、該断熱材１２に食い込んでいる山３ｄを介してねじＡに伝えられるものの、このときの力の値は極めて小さくなり、ＡＬＣパネルを傷める虞は極めて小さくなる。
【００３５】
従って、ねじＡの引き抜き強度を長期間にわたって安定した状態で保持することが可能となる。
【産業上の利用可能性】
【００３６】
本発明に係る床断熱材の固定構造では、床下地材１１及び断熱材１２をＡＬＣパネル１３に固定するねじＡに対し、床下地材１１に作用する面外方向の力に伴って軸方向の力を作用させることがないため長期間にわたって安定した引き抜き強度を保持することが可能である。このため、鉄骨造の建物の床断熱構造を実現する際に利用して有利である。
【００３７】
また本発明に係るねじＡは、上記床断熱材の固定構造を実現する際に利用して極めて有利である。
【図面の簡単な説明】
【００３８】
【図１】床断熱材の固定構造の構成を説明する図である。
【図２】ねじの構成を説明する図である。
【符号の説明】
【００３９】
Ａ                          ねじ
１                          頭部
１ａ                        テーパ部
２                          胴部
３                          ねじ山部
３ａ                        起点
３ｂ                        先端部
３ｃ                        谷
３ｄ                        山
１１                        床下地材
１２                        断熱材
１３                        ＡＬＣパネル
【図１】
2008095320.tif 000003
【図２】
2008095320.tif 000004